(57)【要約】【課題】  収容箱の内部に収容された収容物の視認性を向上させる。【解決手段】  収容箱１００は、内箱１０とこの外側に重ねられる外箱２０との何れか一方をなす第一箱体１０と、内箱１０と外箱２０との何れか他方をなす第二箱体２０とを備える。  この収容箱１００は、下面，上面，後面，前面，左側面，右側面の六面のそれぞれに壁部１１，１２，１３，１４，１５，２１，２２，２３，２４が配置されて内部に収容物９０を収容する収容状態と、収容状態に対して前後および上下が反転され、六面の一部の壁部１１，１２，１３，１４，１５，２１，２２，２３，２４が開放されて収容物９０を展示する展示状態とを切り替え可能である。【選択図】図１
2018062364.tif 000002
【特許請求の範囲】
【請求項１】
内箱と前記内箱の外側に重ねられる外箱との何れか一方をなす第一箱体と、前記内箱と前記外箱との何れか他方をなす第二箱体とを備え、下面，上面，後面，前面，左側面，右側面の六面のそれぞれに壁部が配置されて内部に収容物を収容する収容状態と、前記収容状態に対して前後および上下が反転され、前記六面の一部の前記壁部が開放されて前記収容物を展示する展示状態とを切り替え可能な収容箱であって、
前記第一箱体は、
前記下面を構成する下壁部と、前記後面を構成する後壁部と、前記左側面および前記右側面の少なくとも一部を構成する側壁部とを有するとともに、
前記前面に対応する部分の少なくとも一部が開放された第一前開放部と、前記左側面および前記右側面に対応する部分の少なくとも一部が開放された第一側開放部とを有し、
前記第二箱体は、
前記収容状態で、前記第一前開放部を被覆する前被覆壁部を有するとともに、
前記展示状態で、前記第一前開放部に対応する部分を開放する第二前開放部と、前記第一側開放部に対応する部分を開放する第二側開放部とを有する
ことを特徴とする収容箱。
【請求項２】
前記第二箱体は、前記第一側開放部を被覆する側被覆壁部を有する
ことを特徴とする請求項１に記載された収容箱。
【請求項３】
前記収容状態では、前記側壁部の前端縁の全域が前記側被覆壁部に重ね合わせられる
ことを特徴とする請求項２に記載された収容箱。
【請求項４】
前記収容状態では、前記側壁部の前端縁の一領域が前記側被覆壁部よりも後方に配置される
ことを特徴とする請求項２に記載された収容箱。
【請求項５】
前記展示状態では、前記側壁部の前端縁と前記側被覆壁部の前端縁とが側面視で相異した箇所に配置される
ことを特徴とする請求項２または３に記載された収容箱。
【請求項６】
前記第一箱体は、
前記上面に対応する部分の少なくとも一部が開放された第一上開放部を有し、
前記第二箱体は、
前記収容状態で、前記第一上開放部を被覆する上被覆壁部を有するとともに、
前記展示状態で、前記第一上開放部と対応する部分が開放された第二上開放部を有する
ことを特徴とする請求項１〜５の何れか１項に記載された収容箱。
【請求項７】
前記第一箱体は、前記上面の少なくとも一部を構成するとともに前記収容状態で前記上被覆壁部が重ね合わせられる上壁部を有する
ことを特徴とする請求項６に記載された収容箱。
【請求項８】
前記展示状態では、前記第一側開放部および前記第二側開放部の後端縁のそれぞれが上方に向かうほど後方に配置される
ことを特徴とする請求項１〜７の何れか１項に記載された収容箱。
【請求項９】
前記側壁部は、前記展示状態で前端縁となって折り曲げられる折線を有する
ことを特徴とする請求項１に記載された収容箱。
【発明の詳細な説明】
【技術分野】
【０００１】
本件は、内部に収容物を収容する収容箱に関する。
【背景技術】
【０００２】
収容箱の一つとして、一部を開封するだけで収容物を展示や陳列することのできるパッケージ（いわゆる「シェルフレディパッケージ」）が提案されている。たとえば、外壁部のうち前壁部が開閉可能な収容箱が検討されている（特許文献１および２参照）。このような収容箱によれば、輸送時や保管時における収容物の保護性に加えて、展示時や陳列時における収容物の視認性が確保される。
【先行技術文献】
【特許文献】
【０００３】
【特許文献１】特開2000-72131号公報
【特許文献２】実用新案登録3174956号公報
【発明の概要】
【発明が解決しようとする課題】
【０００４】
しかしながら、上述したように収容箱の前壁部のみが開放されるだけでは、前方から収容物を見ることはできるものの、他の方向から収容物を見ることはできず、収容物の視認性を改善するうえで改善の余地がある。
本件は、上記のような課題に鑑みて創案されたものであり、収容箱の内部に収容された収容物の視認性を向上させることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００５】
（１）ここで開示する収容箱は、内箱と前記内箱の外側に重ねられる外箱との何れか一方をなす第一箱体と、前記内箱と前記外箱との何れか他方をなす第二箱体とを備える。本収容箱は、下面，上面，後面，前面，左側面，右側面の六面のそれぞれに壁部が配置されて内部に収容物を収容する収容状態と、前記収容状態に対して前後および上下が反転され、前記六面の一部の前記壁部が開放されて前記収容物を展示する展示状態とを切り替え可能である。
前記第一箱体は、前記下面を構成する下壁部と、前記後面を構成する後壁部と、前記左側面および前記右側面の少なくとも一部を構成する側壁部とを有するとともに、前記前面に対応する部分の少なくとも一部が開放された第一前開放部と、前記左側面および前記右側面に対応する部分の少なくとも一部が開放された第一側開放部とを有する。
前記第二箱体は、前記収容状態で、前記第一前開放部を被覆する前被覆壁部を有するとともに、前記展示状態で、前記第一前開放部に対応する部分を開放する第二前開放部と、前記第一側開放部に対応する部分を開放する第二側開放部とを有する。
【０００６】
（２）前記第二箱体は、前記第一側開放部を被覆する側被覆壁部を有することが好ましい。
（３）さらに、前記収容状態では、前記側壁部の前端縁の全域が前記側被覆壁部に重ね合わせられることが好ましい。
（４）または、前記収容状態では、前記側壁部の前端縁の一領域が前記側被覆壁部よりも後方に配置されることが好ましい。
【０００７】
（５）前記展示状態では、前記側壁部の前端縁と前記側被覆壁部の前端縁とが側面視で相異した箇所に配置されることが好ましい。
（６）前記第一箱体は、前記上面に対応する部分の少なくとも一部が開放された第一上開放部を有することが好ましい。この場合の前記第二箱体は、前記収容状態で、前記第一上開放部を被覆する上被覆壁部を有するとともに、前記展示状態で、前記第一上開放部と対応する部分が開放された第二上開放部を有することが好ましい。
【０００８】
（７）さらに、前記第一箱体は、前記上面の少なくとも一部を構成するとともに前記収容状態で前記上被覆壁部が重ね合わせられる上壁部を有することが好ましい。
（８）前記展示状態では、前記第一側開放部および前記第二側開放部の後端縁のそれぞれが上方に向かうほど後方に配置されることが好ましい。
（９）あるいは、前記側壁部は、前記展示状態で前端縁となって折り曲げられる折線を有することが好ましい。
【発明の効果】
【０００９】
本件の収容箱によれば、展示状態において収容物を前方から見ることができるだけでなく側方から収容物を見ることができ、収容物の視認性を向上させることができる。
【図面の簡単な説明】
【００１０】
【図１】第一実施形態に関する展示状態の収容箱を分解して示す斜視図である。
【図２】第一実施形態に関する展示状態の収容箱を示す斜視図である。
【図３】第一実施形態に関する収容状態の収容箱を示す斜視図である。
【図４】第一実施形態に関する収容箱の内箱の展開図（内シート材の平面図）である。
【図５】第一実施形態に関する収容箱の外箱の展開図（外シート材の平面図）である。
【図６】第一実施形態の変形例に関する収容状態の収容箱を示す斜視図である。
【図７】第一実施形態の変形例に関する収容箱の内箱の展開図である。
【図８】第一実施形態の変形例に関する収容箱の外箱の展開図である。
【図９】第二実施形態に関する展開状態の収容箱を分解して示す斜視図である。
【図１０】第二実施形態に関する収容箱の内箱の展開図である。
【図１１】第二実施形態に関する収容箱の外箱の展開図である。
【図１２】第二実施形態に関する展示状態の収容箱を示す斜視図である。
【図１３】第二実施形態に関する収容状態の収容箱を示す斜視図である。
【発明を実施するための形態】
【００１１】
以下、本件を実施するための形態を述べる。なお、下記の実施形態はあくまでも例示に過ぎず、この実施形態で明示しない種々の変形や技術の適用を排除する意図はない。本実施形態の各構成は、それらの趣旨を逸脱しない範囲で種々変形して実施することができ、また、必要に応じて取捨選択することができ、あるいは適宜組み合わせることができる。
本実施形態の収容箱では、内箱（第一箱体）および外箱（第二箱体）の二つの箱体が設けられる。
【００１２】
さらに、収容箱の使用状態によって、内箱と外箱との相対的な配置が変更される。
具体的に言えば、内部に収容物が収容される状態（以下「収容状態」という）では、内箱の一方から外箱が覆い被せられ、内箱と外箱との一部分が重ね合わせられる。収容状態の収容箱では、直方体をなす下面，上面，後面，前面，左側面，右側面の六面のそれぞれに壁部が配置され、収容物の周囲が囲繞される。
一方、収容物が展示される状態（以下「展示状態」という）では、内箱の他方から外箱が覆い被せられ、内箱と外箱との大部分が重ね合わせられる。展示状態の収容箱では、上記した六面のうち一部の壁部が開放される。ここでは、展示状態において、前方のほかに側方の一部あるいは上方の一部が開放され、その他の部分に収容箱の各壁部が配置される収容箱を例示する。
【００１３】
下記の実施形態では、収容箱に加えて、収容箱に組み立てられるシート材（ブランクシート）を説明する。
これらの説明では、収容箱およびシート材が水平面に載置されたものとする。
さらに、収容箱については、展示状態を基準に説明する。この収容箱では、水平方向のうち、収容物が主に視認されると方向（正面の視認者を基準とすれば手前側）を前方（図中には「Ｆ」で示す）とし、前方の反対方向（正面の視認者を基準とすれば奥側）を後方（図中には「Ｂ」で示す）とする。前方から後方に向かって右側を右方（図中には「Ｒ」で示す）とするとともに左側を左方（図中には「Ｌ」で示す）とする。これらの右方および左方を区別しないときには側方と呼ぶ。また、鉛直方向のうち、重力の作用方向を下方（図中には「Ｄ」で示す）とし、下方の反対方向を上方（図中には「Ｕ」で示す）とする。
収容箱の使用状態を切り替えるときには、外箱の前後および上下を反転させる。そのため、外箱の前後および上下の各方向は、展示状態と収容状態とで反対を向くことになる。
【００１４】
シート材については、水平方向において互いに直交するＸ方向およびＹ方向を用いて説明する。これらのＸ方向およびＹ方向のそれぞれは、互いに反対向きの二方向に延びる。そこで、各方向について、一方を下付きの添え字で「１」を付して示し、他方を下付きの添え字で「２」を付して示す。たとえば、Ｘ方向では、一方がＸ1方向であり、他方がＸ2方向である。
また、シート材の各部位（シート片）については、箱体の各壁部と同様の符号を付して説明する。
【００１５】
なお、シート材には、段ボールシートのほか、厚紙やプラスチックシートといった種々の材料を用いることができる。ただし、内箱および外箱にそれぞれ組み立てられる各シート材には、同一の材料に限らず、相異する材料を用いてもよい。
本実施形態では、第一実施形態およびその変形例ならびに第二実施形態で三種の収容箱を例示する。これらの収容箱の内部にはさまざまな収容物が収容されうるが、ここでは収容物として鉢植えを挙げ、この鉢植えの収容位置を保持する仕切体も例示する。
【００１６】
［Ｉ．第一実施形態］
まず、図１〜図５を参照して、第一実施形態を述べる。
［１．構成］
まず、収容箱１００について構成の概要を説明する。
図１に示すように、収容箱１００には、内箱１０とこの外部に重ねられる外箱２０とが設けられる。そのほか、内箱１０の内部に仕切体３０も設けられる。ここでは、内箱１０，外箱２０および仕切体３０が左右に対称であり、前後および上下には非対称である。
【００１７】
展示状態の収容箱１００では、図２に示すように、前方および上方の大部分と側方の前方かつ上方とが開放され、その他の部分に内箱１０および外箱２０が配置される。
一方、収容状態の収容箱１００では、図３に示すように、収容物９０（図１参照）の周囲が囲繞（閉鎖）され、直方体の外面に沿って内箱１０および外箱２０が配置される。
【００１８】
展示状態および収容状態の何れか一方から他方に収容箱１００の使用状態を切り替える手順は、下記の手順１〜３に示す通りである。
手順１：内箱１０から外箱２０を取り外す
手順２：手順１で取り外された外箱２０の前後および上下を反転させる
（側面視で外箱２０を１８０°回転させる）
手順３：手順２で反転された外箱２０を内箱１０の外側に重ねる
【００１９】
以下、収容箱１００について、内箱１０，外箱２０，仕切体３０の各構成を詳細に説明する。
〈内箱〉
図１に示すように、内箱１０には、前方および上方の大部分と側方の前方かつ上方とに開放部１９が設けられる。この開放部１９は、前方の開放部（以下「前方開放部」〈第一前開放部〉という）１９ｆと、上方の開放部（以下「上方開放部」〈第一上開放部〉という）１９ｕと、側方の開放部（以下「側方開放部」〈第一側開放部〉という）１９ｓとの三領域に大別される。前方開放部１９ｆは、直方体の前面の上部を開放し、上方開放部１９ｕは、直方体の上面の前部を開放する。また、側方開放部１９ｓは、直方体の側面の前部および上部を開放する。
【００２０】
上記した開放部１９以外の内箱１０には、各壁部１１，１２，１３，１４，１５が設けられる。具体的には、内箱１０の最下部で直方体の下面を構成する下壁部１１が延在し、この下壁部１１の各端縁部１１ｓ，１１ｆ，１１ｂから側壁部１２，前壁部１３および後壁部１４が上方に立設され、後壁部１４の上端縁１４ｕから前方に上壁部１５が突設される。側壁部１２は、直方体の左側面および右側面のそれぞれの一部を構成する。前壁部１３は、直方体の前面の下部を構成し、後壁部１４は、直方体の後面を構成する。
【００２１】
下壁部１１は、前後および左右に沿って各端辺が配置された矩形状である。この下壁部１１は、側端縁１１ｓ（左端縁および右端縁）のそれぞれが前後に沿うとともに、前端縁１１ｆおよび後端縁１１ｂのそれぞれが左右に沿って配置される。側端縁１１ｓのそれぞれからは、互いに対向する一対の側壁部１２，１２が立設される。また、前端縁１１ｆから前壁部１３が立設され、後端縁１１ｂからは後壁部１４が立設される。
ここでいう「対向」は、空間をあけて平行に向かい合う（対面する）ことを意味し、以下の説明においても同様の意味で用いる。
【００２２】
側壁部１２は、前後および上下に沿う平面に配置された多角形状である。ここでは、五角形状の側壁部１２を例示する。この五角形は、前後および上下に沿って各端辺の配置された矩形がその上方かつ前方の頂点で結ばれる二辺を有する三角形で半部が切り取られた形状をなす。この三角形の領域が側方開放部１９ｓに対応する。
この側壁部１２の前端縁１２ｆは、下部で鉛直に延びるとともに、この下部よりも上部で上方に向かうほど後方に傾斜して配置される。言い換えれば、側方開放部１９ｓは、後端縁（側壁部１２のうち後方傾斜した前端縁１２ｆに対応）が上方に向かうほど後方に配置され、前後方向寸法が長くなる。また、側壁部１２は、前方に向かうほど、上下方向寸法が短くなる。このように、側壁部１２の前端縁１２ｆの少なくとも一部は、下壁部１１の前端縁１１ｆよりも後方に配置されている。
【００２３】
なお、ここでいう前端縁１２ｆとは、側壁部１２において同じ上下方向位置で最も前方に位置する箇所を意味する。同様に、側方開放部１９ｓの後端縁は、その領域において同じ上下方向位置で最も後方に位置する箇所を意味する。
【００２４】
前壁部１３は、上下および左右に沿って各端辺が配置された矩形状である。この前壁部１３は、対向する側壁部１２，１２のうち鉛直に延びる前端縁１２ｆ，１２ｆどうしを接続している。この前壁部１３の全部は、後壁部１４の下部１４０と対向する。この下部１４０以外の後壁部１４に対しては、前壁部１３を仮想的に上方へ延長した領域が対向する。このように後壁部１４と仮想的に対向する領域が前方開放部１９ｆに対応する。
また、後壁部１４は、上下および左右に沿って各端辺が配置された矩形状である。この後壁部１４は、対向する側壁部１２，１２の後端縁１２ｂ，１２ｂどうしを接続している。そのほか、後壁部１４の上部には、収容状態における作業性を確保するために、作業者の手を掛けるための手掛穴１４８が穿設されている。
【００２５】
上壁部１５は、前後および左右に沿って各端辺が配置された矩形状である。この上壁部１５は、対向する側壁部１２，１２で水平に延びる上端縁１２ｕ，１２ｕどうしを接続している。また、上壁部１５の全部は、下壁部１１の後部１１０と対向する。この後部１１０以外の下壁部１１に対しては、上壁部１５を二点鎖線で示すように仮想的に前方へ延長した領域が対向する。このように下壁部１１と二点鎖線で示すように仮想的に対向する領域が上方開放部１９ｕに対応する。
【００２６】
つぎに、図４を参照して、内箱１０が展開された状態の内シート材１０Ａを説明する。
内シート材１０Ａでは、上述した下壁部１１の端辺に対応する第一折線ＬX11と上壁部１５の端辺に対応する第二折線ＬX12とがＸ方向に延びている。これらの折線ＬX11，ＬX12によって、内シート材１０Ａは、Ｙ方向に並ぶ三つの領域に大別される。
最もＹ１方向側の領域には、下壁部１１に対応する下壁シート片１１が設けられ、最もＹ2方向側の領域には、上壁部１５に対応する上壁シート片１５が設けられている。
【００２７】
Ｙ方向中央の領域には、立設される四つの壁部１２〜１４に対応して、前壁シート片１３，一方の側壁シート片１２（左側面に対応），後壁シート片１４，他方の側壁シート片１２（右側面に対応）がこの順でＸ1方向からＸ2方向に並んで設けられている。そのほか、前壁シート片１３に対してＸ1方向側に、糊代シート片１６が突設されている。これらのシート片１２〜１４，１６は、Ｙ方向に延びる四つの折線ＬY11，ＬY12，ＬY13，ＬY14で区切られる。
以下、下壁シート片１１，上壁シート片１５，側壁シート片１２，前壁シート片１３，後壁シート片１４の順にそれぞれを説明する。
【００２８】
下壁シート片１１には、内蓋となる二つの内下壁シート片１１ｉ，１１ｉと、外蓋となる二つの外下壁シート片１１ｏ，１１ｏとが設けられている。
ここでは、Ｘ1方向からＸ2方向に向けて、一方の内下壁シート片１１ｉ，一方の外下壁シート片１１ｏ，他方の内下壁シート片１１ｉ，他方の外下壁シート片１１ｏの順に並ぶ下壁シート片１１が設けられている。
【００２９】
内下壁シート片１１ｉ，１１ｉは、Ｘ方向に延びる第一折線ＬX11で折り曲げられると、先端縁（Ｙ方向端縁部）どうしが隙間をあけて突き合わせられる。また、外下壁シート片１１ｏ，１１ｏは、Ｘ方向に延びる第一折線ＬX11で折り曲げられると、互いの先端縁どうしが係合した状態に組み立てられる。
なお、下壁シート片１１としては、上述した組式に限らず、地獄底やワンタッチの組式，あるいは差込式，オーバーフラップ式といった公知形式のシート片を用いてもよい。
【００３０】
上壁シート片１５には、側壁シート片１２，１２からＹ2方向に突設されたフラップ上壁シート片１５ｆ，１５ｆと、後壁シート片１４からＹ2方向に突設された本体上壁シート片１５ｍとが設けられている。この本体上壁シート片１５ｍは、Ｙ方向中央でＸ方向に延びる第三折線ＬX13で折り畳まれる。ここでは、本体上壁シート片１５ｍの厚みを考慮して、二本の第三折線ＬX13が設けられている。さらに、本体上壁シート片１５ｍの先端縁（Ｙ2方向端縁部）には、後壁シート片１４に係合する係合爪部１５１が設けられる。
【００３１】
ここでは、Ｘ1方向からＸ2方向に向けて、一方のフラップ上壁シート片１５ｆ，本体上壁シート片１５ｍ，他方のフラップ上壁シート片１５ｆの順に並ぶ上壁シート片１５が設けられている。
フラップ上壁シート片１５ｆ，１５ｆは、Ｘ方向に延びる第二折線ＬX12で折り曲げられると、先端縁（Ｙ方向端縁部）どうしが隙間をあけて突き合わせられる。これらのフラップ上壁シート片１５ｆ，１５ｆは、Ｘ方向に延びる第三折線ＬX13で二つに折り畳まれる本体上壁シート片１５ｍによって挟み込まれる。そして、本体上壁シート片１５ｍの係合爪部１５１が後壁シート片１４に係合する。
【００３２】
一方の側壁シート片１２（ここでは図４中の左側）には、Ｘ方向に延びる第一折線ＬX11を介してＹ1方向側に一方の外下壁シート片１１ｏが連設され、Ｘ方向に延びる第二折線ＬX12を介してＹ2方向側に一方のフラップ上壁シート片１５ｆが連設されている。さらに、一方の側壁シート片１２には、Ｙ方向に延びる第一折線ＬY11を介してＸ1方向側に前壁シート片１３が連設され、Ｙ方向に延びる第二折線ＬY12を介してＸ2方向側に後壁シート片１４が連設されている。
【００３３】
また、他方の側壁シート片１２（ここでは図４中の右側）には、Ｘ方向に延びる第一折線ＬX11を介してＹ1方向側に他方の外下壁シート片１１ｏが連設され、Ｘ方向に延びる第二折線ＬX12を介してＹ2方向側に他方のフラップ上壁シート片１５ｆが連設されている。さらに、他方の側壁シート片１２には、Ｙ方向に延びる第三折線ＬY13を介してＸ1方向側に後壁シート片１４が連設されている。
【００３４】
前壁シート片１３には、Ｘ方向に延びる第一折線ＬX11を介してＹ1方向側に一方の内下壁シート片１１ｉが連設され、Ｙ方向に延びる第四折線ＬY14を介してＸ1方向側に糊代シート片１６が連設されている。
この前壁シート片１３には、Ｘ方向に延びる第一折線ＬX11よりもややＹ2方向側に、収容状態で外箱２０を内箱１０に係合させるためのスリット（切れ込み）１３９が形成されている。
【００３５】
後壁シート片１４には、Ｘ方向に延びる第一折線ＬX11を介してＹ1方向側に他方の内下壁シート片１１ｉが連設され、Ｘ方向に延びる第二折線ＬX12を介してＹ2方向側に本体上壁シート片１５ｍが連設されている。
この後壁シート片１４には、Ｘ方向に延びる第二折線ＬX12よりもややＹ1方向側に、本体上壁シート片１５ｍの係合爪部１５１と係合するスリット１４９が形成されている。そのほか、上述した手掛穴１４８も後壁シート片１４に設けられている。
【００３６】
〈外箱〉
図１に示すように、外箱２０には、内箱１０の開放部１９と同様に、前方の開放部（以下「前方開放部」〈第二前開放部〉という）２９ｆと、上方の開放部（以下「上方開放部」〈第二上開放部〉という）２９ｕと、側方の開放部（以下「側方開放部」〈第二側開放部〉という）２９ｓとの三領域に開放部２９が設けられる。前方開放部２９ｆは、内箱１０の前方開放部１９ｆに対応する部分を開放し、上方開放部２９ｕは、内箱１０の上方開放部１９ｕに対応する部分を開放する。また、側方開放部２９ｓは、内箱１０の側方開放部１９ｓに対応する部分を開放する。
【００３７】
この開放部２９以外の外箱２０には、内箱１０の各壁部１１，１２，１３，１４と同様に、下壁部２１（上被覆壁部），側壁部２２（側被覆壁部），前壁部２３，後壁部２４（前被覆壁部）が設けられている。
なお、外箱２０には上壁部が設けられておらず、上方の全域が開放されている。
ただし、外箱２０の側壁部２２は、内箱１０の側壁部１２に対して形状がやや異なる。そこで、外箱２０については、側壁部２２の構成のうち内箱１０の側壁部１２と相異する点を説明し、同様の構成については説明を省略する。
【００３８】
側壁部２２において前壁部２３よりも上方の前端縁２２ｆは、展示状態において、内箱１０での側壁部１２の前端縁１２ｆよりも後方に配置される。敷衍して言えば、外箱２０における側壁部２２の前端縁２２ｆと内箱１０における側壁部１２の前端縁１２ｆとが側面視で相異した箇所に配置される。
ここでは、台形状の側壁部２２を例示する。この台形は、内箱１０の側壁部１２のなす五角形のうち上方の開放されたコの字状の三辺の端部どうしを接続した形状をなす。そのため、側壁部２２は、内箱１０の側壁部１２と比較して、前方から後方に上昇する斜辺の上昇度合いが小さい。このことから、側壁部２２の少なくとも一部は、内箱１０の側壁部１２に対して、展示状態において同じ上下方向位置で前後方向寸法が短く、また、展示状態において同じ前後方向位置で上下方向寸法が短い。
【００３９】
そのほか、後壁部２４の手掛穴２４８は、詳細を後述する収容状態で内箱１０における後壁部１４の手掛穴１４８と対応する配置となるように、展示状態における下部に穿設されている。
また、後壁部２４の上方には、内箱１０における前壁部１３のスリット１３９に差し込まれる差込シート片２７が突設されている。
【００４０】
つぎに、図５を参照して、外箱２０が展開された状態の外シート材２０Ａを説明する。
外シート材２０Ａには、内シート材１０Ａのシート片１１，１２，１３，１４，１６と同様に、下壁シート片２１，側壁シート片２２，前壁シート片２３，後壁シート片２４，糊代シート片２６が設けられている。ここでは、下壁シート片２１，前壁シート片２３，後壁シート片２４，糊代シート片２６は、対応するシート片１１，１３，１４，１６よりもやや大きな同様の形状に設けられている。
【００４１】
ただし、前壁シート片２３や後壁シート片２４には、内シート材１０Ａの前壁シート片１３や後壁シート片１４のようにスリットは設けられていない。
そのほか、差込シート片２７でＹ方向に延びる端辺を延長するように、Ｙ2方向端縁部から後壁シート片２４がＹ１方向に切り込まれている。
【００４２】
〈仕切体〉
図１に示すように、仕切体３０は、内箱１０の内部で収容物９０の位置を保持するための補助資材である。この仕切体３０には、前後および左右に沿って各端辺が配置された矩形状の平壁部３１と、平壁部３１の各端辺から下方に折り曲げられた四つの立壁部３２とが設けられている。
【００４３】
さらに、平壁部３１には、収容物９０の大きさに対応した保持孔３１ａが穿設されている。この保持孔３１ａに対して収容物９０が挿抜される。
保持孔３１ａの周囲には、平壁部３１が放射状に切れ込まれたサポート片３１ｂが設けられている。このサポート片３１ｂによって、収容物９０に対する平壁部３１の隙間が抑えられ、収容物９０の保持性が確保される。
【００４４】
〈使用状態〉
つぎに、図２および図３を参照して、収容箱１００の使用状態について展開状態および収容状態のそれぞれを説明する。
図２に示すように、展開状態では、内箱１０の下方から外箱２０が覆い被せられ、収容物９０が視認可能な状態となる。
そして、内箱１０および外箱２０で同じ名称の壁部１１，１２，１３，１４，２１，２２，２３，２４どうしが重ね合わせられる。たとえば、下壁部１１と下壁部２１とが重ね合わせられ、側壁部１２と側壁部２２とが重ね合わせられて配置される。
そのほか、内箱２０の内部には、仕切体３０が配置される。
【００４５】
図３に示すように、収容状態では、内箱１０の上方から外箱２０が覆い被せられる。
そして、内箱１０の下壁部１１と外箱２０の下壁部２１とが収容物９０（図１，２参照）を挟んで対向する。すなわち、内箱１０の上方開放部１９ｕ（図１参照）が外箱２０の下壁部２１で被覆され、同様に、外箱２０の上方開放部２９ｕ（収容状態では下方に配置，図１参照）が内箱１０の下壁部１１で被覆される。
【００４６】
また、この収容状態では、内箱１０の後壁部１４と外箱２０の後壁部２４とが収容物９０を挟んで対向する。すなわち、内箱１０の前方開放部１９ｆが外箱２０の後壁部２４で被覆され、同様に、外箱２０の前方開放部２９ｆ（収容状態では後方に配置）が内箱１０の後壁部１４で被覆される。そのほか、後壁部１４，２４の手掛穴１４８，２４８どうしも対向する。
このとき、外箱２０における後壁部２４の下部２４１（展開状態では上部）は、内箱１０における前壁部１３の全部と重ね合わせられ、内箱１０における後壁部１４の上部１４１は、外箱２０における前壁部２４の全部と重ね合わせられる。内箱１０における上壁部１５の全部は、外箱２０における下壁部２１の後部２１０（展開状態では前部）と重ね合わせられる。
【００４７】
さらに、内箱１０の側方開放部１９ｓ（図１参照）が外箱２０の側壁部２２で被覆され、同様に、外箱２０の側方開放部２９ｓ（図１参照）が内箱１０の側壁部１２で被覆される。ここでは、側壁部１２，２２によって、収容箱１００の側方が完全に閉鎖される。すなわち、内箱１０の側壁部１２における前端縁１２ｆの全域は、側壁部２２の前端縁２２ｆ（収容状態では後端縁）よりも前方に配置され、外箱２０の側壁部２２に重ね合わせられる。
そのうえ、内箱１０のスリット１３９に外箱２０の差込シート片２７が差し込まれる。
【００４８】
［２．作用および効果］
第一実施形態の収容箱１００は、上述したように構成されることから、以下の作用および効果を得ることができる。
（１）展示状態では、重ね合わせられる内箱１０および外箱２０の前方開放部１９ｆ，２９ｆを通して収容物９０を前方から見ることができるうえに、側方開放部１９ｓ，２９ｓを通して収容物９０を側方からも見ることができる。よって、展示状態における収容物９０の視認性を向上させることができる。
一方、収容状態では、内箱１０の前方開放部１９ｆが外箱２０の後壁部２４で被覆され、内箱１０の側方開放部１９ｓが外箱２０の側壁部２２で被覆されることから、収容物９０の保護性を確保することもできる。
【００４９】
（２）また、収容状態では、外箱２０の側壁部２２における前端縁２２ｆの全域が内箱１０の側壁部１２における前端縁１２ｆよりも後方に配置され、収容箱１００の側方の全域が側壁部１２，２２で閉鎖される。よって、収容状態における収容物９０の保護性を高めることができる。
（３）展示状態では、側壁部１２，２２における前端縁１２ｆ，２２ｆの各位置が側面視で相異することから、側壁部１２，２２の何れか一方が他方から突出している。具体的には、外箱２０の側壁部２２における前端縁２２ｆが内箱１０の側壁部１２における前端縁１２ｆよりも後方に配置されることから、外箱２０の側壁部２２に対して前方に内箱１０の側壁部１２が突出する。そのため、作業者にとって内箱１０を把持しやすく、内箱１０から外箱２０を取り外しやすい。よって、収容箱１００の使用状態を展示状態から収容状態へ切り替えるときの作業性を向上させることができる。
【００５０】
（４）さらに、展示状態では、重ね合わせられる内箱１０および外箱２０の上方開放部１９ｕ，２９ｕを通して、収容物９０を上方から見ることができる。そのため、前方および側方に加えて上方から収容物９０を見ることができ、収容物９０の視認性を更に向上させることができる。
（５）これに対し、収容状態では、外箱２０における下壁部２１の後部２１０が内箱１０の上壁部１５に重ね合わせられることから、これらの壁部１５，２１を面接触させることにより、内箱１０と外箱２０との係合を確実に保持することができる。
【００５１】
（６）さらに、展示状態では、側方開放部１９ｓ，２９ｓは、後端縁（側壁部１２の前端縁１２ｆに対応）が上方に向かうほど後方に配置されることから、上方に向かうほど大きく開放される。そのため、上方かつ側方から収容物９０が見下ろされる場合の視認性を高めることができる。
【００５２】
そのほか、外箱２０の差込シート片２７が内箱１０のスリット１３９に差し込まれることからも、内箱１０と外箱２０とを確実に係合することができる。
また、下壁部１１，２１に組み立てられる下壁シート片１１，２１をはじめ、前壁シート片１３，２３や後壁シート片１４，２４などが互いに同様の形状であることから、収容箱１００やそのシート材１０Ａ，２０Ａのデザインコストあるいは製造コストが抑えられる。
【００５３】
［Ｉ′．第一実施形態の変形例］
つぎに、図６〜図８を参照して、第一実施形態の変形例を説明する。
本変形例の収容箱１００′は、内箱１０′および外箱２０′の側壁部１２′，２２′の形状が上述した側壁部１２，２２とは異なる。以下の説明では、側壁部１２，２２に対する側壁部１２′，２２′の相異点を説明する。
なお、ここでいう相異点を除いては、上述した第一実施形態の構成と同様であり、これらについては、同様の符号を付し、詳細な説明を省略する。
【００５４】
［１．構成］
図６に示すように、収容状態における収容箱１００′の側方は、一部が閉鎖されるだけで、完全には閉鎖されない。具体的には、収容状態において、内箱１０′の側壁部１２′における前端縁１２ｆ′の上下方向中間領域（一領域）が外箱２０′の側壁部２２′における前端縁２２ｆ′（収容状態では後端縁）よりも後方に配置される。
【００５５】
そのため、側壁部１２′，２２′は上述した側壁部１２，２２よりも小さく、展示状態において、上述した収容箱１００よりも大きく側方が開放される。
ここでの内箱１０′における側壁部１２′の前端縁１２ｆ′は、後方に向かうにつれて上昇度合いの大きくなる曲線とこの曲線の上端縁に対して上下に延びる直線とが組み合わせられた形状をなしている。外箱２０′における側壁部２２′の前端縁２２ｆ′も側壁部１２′の前端縁１２ｆ′と同様の形状をなしている。
【００５６】
図７および図８に示すように、内箱１０′が展開された状態の内シート材１０Ａ′における側壁シート片１２′は、外箱２０′が展開された状態の外シート材２０Ａ′における側壁シート片２２′に対して、やや小さく、同様の形状をなしている。
そのほか、差込シート片２７′がＹ2方向に突設される後壁シート片２４′には、上述した後壁シート片２４のように差込シート片２７でＹ方向に延びる端辺を延長する切れ込みは設けられていない。
【００５７】
［２．作用および効果］
本変形例の収容箱１００′は、上述したように構成されることから、第一実施形態の収容箱１００による作用および効果に加えて、以下の作用および効果を得ることができる。
収容状態において、内箱１０′の側壁部１２′における前端縁１２ｆ′の上下方向中間領域が外箱２０′の側壁部２２′における前端縁２２ｆ′よりも後方に配置されることから、収容状態においても収容物９０′の視認性を確保することができる。延いては、収容状態における収容箱１００′の慎重な取り扱いを促すことができる。
そのほか、後壁シート片２４′に切れ込みが設けられていないことから、この切れ込みを形成する工程を省略することができ、製造コストの低減に寄与する。
【００５８】
［ＩＩ．第二実施形態］
つぎに、図９〜図１３を参照して、第二実施形態を説明する。
本実施形態の収容箱１００″は、内箱１０″および外箱２０″の側壁部１２″，２２″が大きく異なり、後壁部１４″，２４″がやや異なる。以下の説明では、上述した側壁部１２，１２′，２２，２２′および後壁部１４，１４′，２４，２４′に対する側壁部１２″，２２″および後壁部１４″，２４″の相異点を説明する。
なお、ここでいう相異点を除いては、上述した第一実施形態およびその変形例の構成と同様であり、これらについては、同様の符号を付し、詳細な説明を省略する。
【００５９】
［１．構成］
図９に示すように、展示状態における収容箱１００″は、内箱１０″が側壁部１２″の前端縁１２ｆ″で折り曲げられており、外箱２０″の側壁部２２″が前壁部２３″の上下方向寸法と同様に設けられている。すなわち、収容箱１００″における側方の大部分には、内箱１０″の側壁部１２″が立設される。この側壁部１２″の前端縁１２ｆ″よりも上方かつ前方に側方開放部１９ｓ″が延在する。なお、外箱２０″の側壁部２２″よりも上方にも側方開放部２９ｓ″が延在する。
【００６０】
図１０に示すように、内箱１０″が展開された状態の内シート材１０Ａ″における側壁シート片１２″は、Ｘ方向およびＹ方向に沿って各端辺が配置された矩形状に設けられている。この側壁シート片１２″には、展示状態において側壁部１２″の前端縁１２ｆ″で折り曲げられる第一傾斜折線ＬC1″と側壁部１２″の後端縁１２ｂ″で折り曲げられる第二傾斜折線ＬC2″とが設けられる。すなわち、側壁シート片１２″は、展示状態において、第一傾斜折線ＬC1″で折り曲げられて、第一傾斜折線ＬC1″を挟む一方および他方の各部位で二重壁構造が形成され、第二傾斜折線ＬC2″で折り曲げられて、後壁部１４″に重ね合わせられる。
【００６１】
さらに、側壁シート片１２″において第一傾斜折線ＬC1″と第二傾斜折線ＬC2″とに挟まれる部位には、第一傾斜折線ＬC1″で折り曲げられた状態を保持するための差込片１２８″が設けられている。ここでは、Ｕ字状に切り込まれた差込片１２８″を例示する。また、側壁シート片１２″において第一傾斜折線ＬC1″よりもＹ1方向の部位には、差込片１２８″が差し込まれるスリット１２９″が形成されている。
【００６２】
また、側壁シート片１２″には、Ｘ方向のうち後壁シート片１４″とは反対側に側部サポートフラップ１６″が突設され、Ｙ２方向に上部サポートフラップ１７″が突設されている。側部サポートフラップ１６″の基部（後壁シート片２４″側の端縁部）であってＹ方向中間には、スリット１６９″が形成されている。
そのほか、後壁シート片２４″のＹ２方向にも上部サポートフラップ１８″が突設されている。
【００６３】
図１１に示すように、外箱２０″が展開された外シート材２０Ａ″の側壁部２２″には、第一実施形態の上壁部１５と同様に、二つのフラップ側壁シート片２２ｆ″，２２ｆ″と本体側壁シート片２２ｍ″とが設けられている。この本体側壁シート片２２ｍ″は、Ｘ方向中央でＹ方向に延びる折線ＬX″で折り畳まれる。さらに、本体側壁シート片２２ｍ″の先端縁（Ｘ方向端縁部）には、下壁シート片１１″に係合する係合爪部２２１″が設けられる。
【００６４】
フラップ側壁シート片２２ｆ″，２２ｆ″は、折り曲げられて先端縁（Ｘ方向端縁部）どうしが隙間をあけて突き合わせられる。これらのフラップ側壁シート片２２ｆ″，２２ｆ″は、Ｙ方向に延びる折線ＬX″で折り畳まれる本体側壁シート片２２ｍ″によって挟み込まれる。そして、本体側壁シート片２２ｍ″の係合爪部２２１″が下壁シート片２１″のスリット２１９″に係合する。
後壁部２４″は、Ｘ方向およびＹ方向に沿って各端辺が配置された矩形状に設けられている。この後壁部２４″には、Ｙ方向に突設された差込シート片２７″のほか、Ｘ方向のそれぞれにも差込シート片２８″が突設されている。
【００６５】
つぎに、図１２および図１３を参照して、収容箱１００″の使用状態について展開状態および収容状態のそれぞれを説明する。
図１２に示すように、展開状態では、内箱１０″の下方から外箱２０″が覆い被せられ、内箱１０″の側壁部１２″が前端縁１２ｆ″となる第一傾斜折線ＬC1″で折り曲げられ、差込片１２８″がスリット１２９″に差し込まれる。そのうえ、側壁部１２″は後端縁１２ｂ″となる第二傾斜折線ＬC2″で折り曲げられ、外箱２０″の後壁部２４″の内側（前側）に重ね合わせられる。一方、サポートフラップ１６″，１７″，１８″は折り曲げられずに内箱１０″が組み立てられる。なお、側壁部１２″から突設された側部サポートフラップ１６″の前方かつ下方の一部は、外箱２０″の側壁部２２″の内側に挟み込まれる。
【００６６】
図１３に示すように、収容状態では、内箱１０″の側壁部１２″が傾斜折線ＬC1″，ＬC2″で折り曲げられず、サポートフラップ１６″，１７″，１８″が折り曲げられたうえで、内箱１０″の上方から外箱２０″が覆い被せられる。このとき、側壁部１２″で側方開放部１９ｓ″，２９ｓ″（図９参照）が被覆される。さらに、外箱２０″の差込シート片２７″，２８″がスリット１３９″，１６９″（図１０参照）に差し込まれる。
【００６７】
［２．作用および効果］
本実施形態の収容箱１００″は、上述したように構成されることから、以下の作用および効果を得ることができる。
展示状態では、内箱１０″において第一傾斜折線ＬC1″が前端縁１２ｆ″となって側壁部１２″が折り曲げられるため、側方開放部１９ｓ″，２９ｓ″が開放される。よって、側方からの収容物９０″の視認性を確保することができる。
そのほか、展示状態では、内箱１０″の上部サポートフラップ１８″が折り曲げられずに収容箱１００″が組み立てられるため、上方からの収容物９０″の視認性も確保することができる。
【００６８】
［ＩＩＩ．その他］
最後に、本実施形態のその他の変形例について述べる。
たとえば、側方開放部あるいは側壁部は、少なくなくとも展示状態で収容箱の側方が開放されていれば、円弧状あるいは波型や階段状といった種々の輪郭形状とすることができる。
【００６９】
また、収容箱の内部に収容される収容物は、鉢植えに限らず、その他のさまざまな物品であってもよい。たとえば、収容物が収容状態や展示状態で配置される向きが限定されない物品である場合には、収容箱の使用状態を切り替えるときに、外箱の上下および前後を反転させるのではなく、内箱の上下および前後を反転させてもよい。この場合には、内箱の前後および上下の各方向が収容状態と展示状態とで反対を向くことになる。
さらに、収容箱は、下壁部が下方に配置される姿勢に限らず、側壁部が下方に配置されて載置面（直方体の下面）を構成する姿勢であってもよい。この場合の方向は、左右を上下に読み替えるとともに上下を左右に読み替えればよい。また、後壁部が下方に配置されて載置面（直方体の下面）を構成する姿勢であってもよい。この場合の方向は、前後を上下に読み替えるとともに前後を上下に読み替えればよい。
【００７０】
そのほか、側壁部は、内箱および外箱の少なくとも一方に設けられていればよく、内箱および外箱の何れか他方の側壁部を省略してもよい。たとえば、内箱（第二箱体）の側壁部を省略し、外箱（第一箱体）に側壁部を設けてもよい。この場合には、収容状態においても側方を開放することができ、シート材を削減することや重量を軽減することもできる。また、前壁部や上壁部を省略してもよい。この場合にも、シート材の削減や軽量化を図ることができる。
なお、仕切体を省略してもよい。この場合の収容物は、収容箱の内部で安定して保持される形状や形態の物品であることが好ましい。
【符号の説明】
【００７１】
１０，１０′，１０″    内箱（第一箱体）
１０Ａ，１０Ａ′，１０Ａ″    内シート材
１１，１１′，１１″  下壁部，下壁シート片
１１ｆ    前端縁
１１ｂ    後端縁
１１ｓ    側端縁
１２，１２′，１２″    側壁部，側壁シート片
１２ｆ，１２ｆ′，１２ｆ″    前端縁
１２ｂ，１２ｂ″    後端縁
１２ｕ    上端縁
１２ｄ    下端縁
１３，１３′，１３″    前壁部，前壁シート片
１４，１４′，１４″    後壁部，後壁シート片
１５，１５′，１５″    上壁部，上壁シート片
１９    開放部
１９ｆ    前方開放部（第一前開放部）
１９ｓ，１９ｓ″    側方開放部（第一側開放部）
１９ｕ    上方開放部（第一上開放部）
２０，２０′，２０″    外箱（第二箱体）
２０Ａ，２０Ａ′，２０Ａ″    外シート材
２１    下壁部，下壁シート片
２１ｂ    後端縁
２１ｆ    前端縁
２１ｓ    側端縁
２２，２２′，２２″    側壁部（側被覆壁部），側壁シート片
２２ｆ，２２ｆ′，２２ｆ″    前端縁
２２ｂ    後端縁
２２ｕ    上端縁
２２ｄ    下端縁
２３    前壁部，前壁シート片
２４，２４′    後壁部（前被覆壁部），後壁シート片
２９    開放部
２９ｆ    前方開放部（第二前開放部）
２９ｕ    上方開放部（第二上開放部）
２９ｓ，２９ｓ″    側方開放部（第二側開放部）
３０    仕切体
９０，９０′，９０″    収容物
１００，１００′，１００″    収容箱
ＬC1″，ＬC2″    傾斜折線
【図１】
2018062364.tif 000003
【図２】
2018062364.tif 000004
【図３】
2018062364.tif 000005
【図４】
2018062364.tif 000006
【図５】
2018062364.tif 000007
【図６】
2018062364.tif 000008
【図７】
2018062364.tif 000009
【図８】
2018062364.tif 000010
【図９】
2018062364.tif 000011
【図１０】
2018062364.tif 000012
【図１１】
2018062364.tif 000013
【図１２】
2018062364.tif 000014
【図１３】
2018062364.tif 000015